(57)【特許請求の範囲】
【請求項１】
多極回路遮断器に組み込んだ熱動電磁形過電流引外し装置と開閉機構のラッチに連係したラッチ受けとの間に介装し、過電流引外し装置の動作を受けて回路遮断器をトリップ動作させるトリップクロスバーであり、該トリップクロスバーが、各極の間に跨がって回動可能に軸支し、かつ調整ダイアルの操作で軸方向へ変位可能に連係した絶縁物のクロスバーと、各極ごとにクロスバーの軸上より張り出して前記過電流引外し装置の操作端に対向する操作片と、およびクロスバーに取付けて前記ラッチ受けを係止する爪部とからなり、かつ前記操作片の板面には引外し装置のバイメタルとの対向領域にテーパー部を形成し、調整ダイアルの操作により各極の操作片とこれに対向するバイメタルの操作端との間のギャップを一括して可変調整するようにしたものにおいて、前記クロスバーに対して爪部を軸方向へスライド可能に装着したことを特徴とする回路遮断器のトリップクロスバー。
【請求項２】
請求項１記載のトリップクロスバーにおいて、クロスバーの爪部装着箇所に凹部を形成し、該凹部に設けた支持ピンを介して爪部を軸方向へスライド可能に支持したことを特徴とする回路遮断器のトリップクロスバー。
【請求項３】
請求項１記載のトリップクロスバーにおいて、クロスバーの爪部装着箇所に案内溝付きの凹部を形成し、該凹部の案内溝に樹脂成形品としてなる駒状爪部を軸方向へスライド可能に支持したことを特徴とする回路遮断器のトリップクロスバー。
【請求項４】
請求項３記載のトリップクロスバーにおいて、爪部に金属カバーを取付けたことを特徴とする回路遮断器のトリップクロスバー。
【請求項５】
請求項１記載のトリップクロスバーにおいて、調整ダイアル操作によるクロスバーの移動範囲に、操作片に対して過電流引外し装置の電磁石アーマチュアのみが対向し、バイメタルとは対向しない瞬時引外しモードの調整位置を設定したことを特徴とする回路遮断器のトリップクロスバー。
【発明の詳細な説明】
【０００１】
【発明の属する技術分野】
この発明は、低圧配線設備のコンポーネントとして適用する配線用遮断器などを対象に、多極回路遮断器に組み込んだ引外し機構のトリップクロスバーに関する。
【０００２】
【従来の技術】
まず、頭記した配線用遮断器（３相回路用）の一般構成を図５に示す。図において、１はモールド樹脂製のケース、２はケースカバー、３は電源側端子、４は固定接触子、５は可動接触子、６は可動接触子５と過電流引外し７とを接続する可撓リード線、８は負荷側端子、９は可動接触子５に連結した開閉機構、１０は開閉機構の組立枠（サイドプレート）、１１は開閉機構１１から過電流引外し装置７の方に向けて突き出したラッチ、１２はラッチ１１に係合して開閉機構をリセット状態に保持するラッチ受け、１３はラッチ受け１２と過電流引外し装置７との間に介装したトリップクロスバー、１４は前記開閉機構９に連結した開閉操作ハンドルである。
【０００３】
ここで、過電流引外し装置７は、一般に限時引外し用のバイメタル７ａと瞬時引外し用の電磁石（電磁石の固定コアを７ｂ，アーマチュアを符号７ｃで示す）を組合せた熱動電磁形引外し装置を使用して保護特性の協調を図るようにしており、回路遮断器の各相に対応して３極分の引外し装置７がケース１に組み込まれている。なお、バイメタル７ａの先端（操作端）には引外し電流調整用の調整ねじ７ｄを備えており、この調整ねじと後記するトリップクロスバーの操作片とがギャップを隔てて対向している。
【０００４】
また、トリップクロスバー１３は、図６で示すように回路遮断器の各極の間に跨がって回動可能に軸支した絶縁物製のクロスバー１５と、該クロスバー１５の軸上より張り出して過電流引外し装置７の操作端に対向させた各極（３相）に対応する３枚の操作片１６と、前記ラッチ受け１５に対向してクロスバー１５の中央部に装着した爪１７との組立体からなる。ここで、爪１７は取付金１８を介してクロスバー１５の中央部に切欠き形成した凹部１５ａに固着され、クロスバー１５が前記の取付金１８に通した支軸ピン１９を介して開閉機構の組立枠１０に回動可能に支持されている。なお、クロスバー１５は図示例のように取付金１８を介して組立枠１０に支持するほか、クロスバーの両端をケース１の軸受部に軸支した構造もある。
【０００５】
かかる構成になる回路遮断器の動作は周知の通りであり、図示の投入（ＯＮ）状態ではラッチ受け１２がトリップクロスバー１３の爪１７に係止され、このラッチ受け１２にラッチ１１が引っ掛かって開閉機構１０をリセット状態に保持している。なお、このリセット状態では、ラッチ１１を介して開閉機構９に組み込んだ主開閉ばねのばね力がラッチ受け１２に加わるため、ラッチ受け１２は大きな力でクロスバー１３の爪１７に押圧されている。
【０００６】
ここで、過負荷，短絡事故などにより主回路に過電流が流れると、過電流引外し装置７が作動し、そのバイメタル（限時引外し用）７ａ，もしくは電磁石のアーマチュア（瞬時引外し用）７ｃの先端（操作端）がトリップクロスバー１３の操作片１６を叩いて反時計方向に回動させ、爪１７との係合を解く。これにより、ラッチ受け１２が時計方向に回動してラッチ１１の係止を釈放し、開閉機構１０の動作により可動接触子５が固定接触子４から開離して回路遮断器をトリップ動作させる。なお、開閉機構のリセットはハンドル１４の操作で行う。
【０００７】
一方、回路遮断器の限時引外し電流値の調整手段として、トリップクロスバーを調整ダイアルの操作で軸方向（相間方向）に移動させ、過電流検出部であるバイメタルの操作端とクロスバーの操作片との間のギャップを各極一括して調整するようにしたものが公知でありその構成を図(a),(b) に示す。
すなわち、トリップクロスバー１３には操作片１６とほぼ直角方向に突き出した樋状のガイド片１５ｂを設けるとともに、ケースカバー２に設けた調整ダイアル２０から突き出た偏芯ピン２０ａを前記ガイド片１５ｂの溝に嵌め合わせ、この構成で調整ダイアル２０を回すことにより、トリップクロスバー１３が矢印Ｐ方向へ変位するようにしている。また、トリップクロスバー１３の操作片１６には、過電流引外し装置７のバイメタル７ａと対向する領域にテーパー部１６ａが膨出形成されており、前記したトリップクロスバー１３の移動位置に合わせて操作片１６とバイメタル７ａとの間のギャップを調整し、回路遮断器の引外し特性を変えるようにしている。
【０００８】
【発明が解決しようとする課題】
ところで、前記のようにトリップクロスバー１３に爪１７を固定したまま、調整ダイアル２０によりクロスバー１５を軸方向に移動調節して過電流引外し装置７との間のギャップ調整を行うようにした従来構造では、引外し特性の安定面で次記のような問題点がある。
【０００９】
すなわち、回路遮断器のリセット状態で、先記した調整ダイアル２０を回してトリップクロスバー１３を軸方向に移動すると、爪１７が開閉機構のばね荷重を受けたラッチ受け１２に押圧したまま軸方向に摺動してその当接面に擦り傷が生じる。
一方、トリップクロスバー１３の操作片１６を叩いてトリップクロスバーをリセット位置から釈放位置に回動させる過電流引外し装置７の操作力は非常に小さく、そのために前記のようにラッチ受け１２と爪１７との当接面に僅かでも擦り傷が生じると、トリップクロスバー１３がラッチ受け１２の係止を解く荷重が増加し、その結果、引外し特性が変化して規定の引外し電流値で回路遮断器がトリップ動作しなくなるといった信頼性の問題が派生する。
【００１０】
この発明は上記の点に鑑みなされたものであり、先記のようにトリップクロスバーを軸方向に移動して引外し電流値を調整するようにした方式の回路遮断器を対象に、回路遮断器の引外し特性の安定化が図れるように改良したトリップクロスバーを提供することを目的とする。
【００１１】
【課題を解決するための手段】
上記目的を達成するために、この発明によれば、多極回路遮断器に組み込んだ熱動電磁形過電流引外し装置と開閉機構のラッチに連係したラッチ受けとの間に介装し、過電流引外し装置の動作を受けて回路遮断器をトリップ動作させるトリップクロスバーで、該トリップクロスバーが、各極の間に跨がって回動可能に軸支し、かつ調整ダイアルの操作で軸方向へ変位可能に連係した絶縁物のクロスバーと、各極ごとにクロスバーの軸上より張り出して前記過電流引外し装置の操作端に対向する操作片と、およびクロスバーに取付けて前記ラッチ受けを係止する爪部とからなり、かつ前記操作片の板面には引外し装置のバイメタルとの対向領域にテーパー部を形成し、調整ダイアルの操作により各極の操作片とこれに対向するバイメタルの操作端との間のギャップを一括して可変調整するようにしたものにおいて、
前記クロスバーに対して爪部を軸方向へスライド可能に装着する（請求項１）ものとし、具体的には次記のような態様で構成する。
【００１２】
(1) クロスバーの爪部装着箇所に凹部を形成し、該凹部に設けた支持ピンを介して爪部を軸方向へスライド可能に支持する（請求項２）。
(2) クロスバーの爪部装着箇所に案内溝付きの凹部を形成し、該凹部の案内溝に樹脂成形品としてなる駒状爪部を軸方向へスライド可能に支持する（請求項３）。
【００１３】
(3) 前項(2) の爪部に金属カバーを取付けて補強する（請求項４）。
(4) 調整ダイアル操作によるクロスバーの移動範囲に、操作片に対して過電流引外し装置の電磁石アーマチュアのみが対向し、バイメタルとは対向しない瞬時引外しモードの調整位置を設定し、熱動電磁形過電流引外し装置を装備した回路遮断器を瞬時引外し専用ブレーカとして使用できるようにする（請求項５）。
【００１４】
【発明の実施の形態】
以下、この発明の実施の形態を図示実施例に基づいて説明する。なお、実施例の図中で図４に対応する同一部材には同じ符号が付してある。
〔実施例１〕
図１はこの発明の請求項１，２に対応する実施例を示すものである。この実施例においては、トリップクロスバー１３の絶縁物製クロスバー１５の凹部１５ａに装着した爪部１７が金属板を板金加工した駒形に形成したものとしてなり、支持ピン２１，ばね力の弱い位置決めばね２２を介してクロスバー１５の軸方向へスライド可能に組付けられている。ここで、クロスバー１５に形成した凹部１５ａの長手方向幅Ｌは、爪部１７を定位置に拘束保持したままトリップクロスバー１３を軸方向（矢印Ｐ）へ所定ストロークだけ自由移動できるように設定されている。
【００１５】
かかる構成によれば、回路遮断器のリセット状態、つまりトリップクロスバー１３の爪部１７にラッチ受け１２（図４参照）が引っ掛かっている荷重状態で、限時引外し電流値を変更するように調整ダイアル２０を回しても、爪部１７はラッチ受け１２との係止位置に拘束されたまま、クロスバー１５が爪部１７と相対的にＰ方向に移動する。したがって、爪部１７とラッチ受け１２とが擦り合うことがなく、これにより従来構造で問題となっていた爪部／ラッチ受け間の擦り傷の発生，並びに擦り傷に起因する引外し動作特性のばらつきを回避できる。
【００１６】
〔実施例２〕
図２(a),(b) はこの発明の請求項１，３，４に対応する実施例を示すものである。この実施例においては、爪部１７が駒状の樹脂モールド品としてなり、その裏面側には脚部１７ａを備えている。また、爪部１７にはその表面を覆うように金属カバー２３が被せてある。一方、クロスバー１５の凹部１５ａに対し、その底面側には軸方向に沿って前記した爪部１７の脚部１７ａが嵌まり込む案内溝１５ｃが形成されており、この案内溝１５ｃに前記脚部１７ａを嵌め合わせて爪部１７がクロスバー１５と相対的に軸方向へスライド可能に支持されている。
【００１７】
かかる構成によれば、先記実施例１と同様に、トリップクロスバー１３の爪部１７にラッチ受け１２（図４参照）が引っ掛かっている回路遮断器のリセット状態で、調整ダイアル２０を回しても、爪部１７はラッチ受け１２との係止位置に拘束されたままでクロスバー１５を爪部１７と相対的にＰ方向に移動させることができ、これにより爪部／ラッチ受け間の擦り傷の発生，並びに擦り傷に起因する引外し動作特性のばらつきを回避できる。なお、図示例における爪部１７の金属カバー２３は、ラッチ受け１２を介して爪部１７に加わる荷重が小さい場合には省略することも可能である。
【００１８】
〔実施例３〕
図３(a),(b) はこの発明の請求項５に対応する実施例を示すものである。この実施例においては、調整ダイアル２０の操作によるトリップクロスバー１３の移動ストロークＳを拡大し、図３(b) で表すように操作片１６に対して熱動電磁形過電流引外し装置７の電磁石アーマチュア７ｃのみが対向し、バイメタル７ａとは対向しない瞬時引外しモードの調整位置を設定するようにしている。
【００１９】
かかる構成により、図３(a) の調節位置ではトリップクロスバー１３の操作片１６に過電流引外し装置７のバイメタル７ａ，およびアーマチュア７ｃが対向しており、これにより回路遮断器はバイメタル７ａの動作による限時引外し，もしくは電磁石の動作による瞬時引外しが行われる。一方、調整ダイアル２０の操作でクロスバー１５を図３(b) で表す瞬時引外しモードの位置に移動すると、バイメタル７ａと操作片１６とが対向せず、アーマチュア７ｃのみが操作片１６に対向するようになる。したがってこの調整位置では、過負荷電流でバイメタル７ａが湾曲しても回路遮断器はトリップ動作せず、電磁石のアーマチュア７ｃが動作した場合にのみ回路遮断器が瞬時にトリップ動作する。これにより、回路遮断器（配線用遮断器）を通常の配線用，および瞬時遮断式ブレーカとして選択的に使い分けることができる。
【００２０】
【発明の効果】
以上述べたようにこの発明の構成によれば、引外し電流値の調整手段として、調整ダイアルの操作によりトリップクロスバーを軸方向に移動してその操作片と過電流引外し装置と間のギャップを調整するようにした回路遮断器のトリップクロスバーを対象に、該トリップクロスバーに設けたラッチ受け係止用爪部を軸方向へスライド可能に装着したことにより、引外し電流値の調整時には爪部を係止位置に拘束したままクロスバーを軸方向へ移動することができ、これにより爪部／ラッチ受け間の擦り傷発生，並びにこの擦り傷に起因する回路遮断器の引外し特性のばらつきを防止して、引外し特性が安定した回路遮断器を提供することができる。
【００２１】
また、請求項５の構成によれば、回路遮断器を通常の配線用，および瞬時遮断式ブレーカとして選択的に使い分けることができ、回路遮断器の使用法でのバリエーション化が図れる。
【図面の簡単な説明】
【図１】この発明の実施例１に対応するトリップクロスバーの要部の分解斜視図
【図２】この発明の実施例２にたいにうするトリップクロスバーの構成図であり、(a) は要部の分解斜視図、(b) は爪部組立状態の断面図
【図３】この発明の実施例３に対応するトリップクロスバーの機能説明図であり、(a) は回路遮断器を一般配線用として使用する場合の調整位置、(b) は瞬時引外しブレーカとして使用する場合の調整位置を表す図
【図４】クロスバーの軸方移動による引外し電流値を調整する手段を備えたトリップクロスバーの従来構成図であり、(a) は平面図、(b) は側面図
【図５】この発明の実施対象となる配線用遮断器の一般的な構成断面図
【図６】図５におけるトリップクロスバーの構成斜視図
【符号の説明】
４    固定接触子
５    可動接触子
７    過電流引外し装置
７ａ  バイメタル
７ｃ  電磁石のアーマチュア
９    開閉機構
１１    ラッチ
１２    ラッチ受け
１３    トリップクロスバー
１５    クロスバー
１５ａ  凹部
１５ｃ  爪部の案内溝
１６    操作片
１６ａ  テーパー部
１７    爪部
１７ａ  脚部
２０    調整ダイアル
２１    支持ピン
２３    金属カバー
【図１】
0003794450.tif 000002
【図２】
0003794450.tif 000003
【図３】
0003794450.tif 000004
【図４】
0003794450.tif 000005
【図５】
0003794450.tif 000006
【図６】
0003794450.tif 000007